(57)【要約】【課題】  信頼性の高い情報検出装置及び方法を提案する。【解決手段】  バースト信号が伝送されるバースト期間と、無信号期間であるスペース期間とが伝送情報の内容に応じたパターンで繰り返される伝送信号から伝送情報を検出する情報検出装置及び方法において、伝送信号の信号レベルの絶対値が第１の閾値以上であるか否かを検出すると共に、伝送信号の信号レベルの絶対値が第２の閾値以上であるか否かを検出し、検出結果に基づいて、伝送信号のレベル変位がノイズによるものか、又は伝送情報を受信したことによるものかを判定するようにした。【選択図】図１
2011010053.tif 000002
【特許請求の範囲】
【請求項１】
バースト信号が伝送されるバースト期間と、無信号期間であるスペース期間とが伝送情報の内容に応じたパターンで繰り返される伝送信号から前記伝送情報を検出する情報検出装置において、
前記伝送信号の信号振幅レベルの絶対値が第１の閾値以上であるか否かを検出する第１の比較回路と、
前記伝送信号の信号振幅レベルの絶対値が前記第１の閾値と異なる第２の閾値以上であるか否かを検出する第２の比較回路と、
前記第１及び第２の比較回路の検出結果に基づいて、前記伝送信号の振幅レベル変位がノイズによるものか、又は前記伝送情報を受信したことによるものかを判定する判定部と
を備えることを特徴とする情報検出装置。
【請求項２】
前記判定部は、
前記第１の比較回路の検出結果に基づいて、前記伝送信号から前記伝送情報を検出する第１の情報検出部と、
前記第２の比較回路の検出結果に基づいて、前記伝送信号から前記伝送情報を検出する第２の情報検出部と、
前記第１及び第２の情報検出回路の検出結果に基づいて、前記第１及び第２の情報検出部が同じ前記伝送情報を検出したときに、当該伝送情報を出力する検出情報出力部と
を備えることを特徴とする請求項１に記載の情報検出装置。
【請求項３】
前記判定部は、
前記第１の比較回路の検出結果に基づいて、前記伝送信号から前記伝送情報を検出する第３の情報検出部と、
前記第１の比較回路により検出された前記伝送信号の立ち上がりのタイミングと、前記第２の比較回路により検出された前記伝送信号の立ち上がりのタイミングとの時間差に基づいて、当該時間差が予め定められた第３の閾値内にあるか否かを判定するタイミング判定部と
を備え、
前記第３の情報検出部は、
前記第１の比較回路の検出結果に基づいて、前記伝送信号から前記伝送情報を検出し、かつ、前記タイミング判定部により前記時間差が前記第３の閾値内にあると判定されたときに、当該伝送情報を出力する
ことを特徴とする請求項１に記載に情報検出装置。
【請求項４】
バースト信号が伝送されるバースト期間と、無信号期間であるスペース期間とが伝送情報の内容に応じたパターンで繰り返される伝送信号から前記伝送情報を検出する情報検出方法において、
前記伝送信号の信号振幅レベルの絶対値が第１の閾値以上であるか否かを検出すると共に、前記伝送信号の信号振幅レベルの絶対値が前記第１の閾値と異なる第２の閾値以上であるか否かを検出する第１のステップと、
検出結果に基づいて、前記伝送信号の振幅レベル変位がノイズによるものか、又は前記伝送情報を受信したことによるものかを判定する第２のステップと
を備えることを特徴とする情報検出方法。
【発明の詳細な説明】
【技術分野】
【０００１】
本発明は、情報検出装置及び方法に関し、例えば、シリアルＡＴＡ（Advanced Technology Attachment）規格に準拠した受信装置に適用して好適なものである。
【背景技術】
【０００２】
従来、ホストコンピュータ（以下、ホストと呼ぶ）と光ディスク装置、ハードディスク装置等のストレージデバイス（以下、デバイスと呼ぶ）とを接続する方式として、高速シリアル転送プロトコル規格であるシリアルＡＴＡが策定されている。
【０００３】
シリアルＡＴＡ規格では、データ転送を行う前に、ＯＯＢ（Out of Band）シーケンスと呼ばれるネゴシエーションが行われる。このＯＯＢシーケンスは、図７に示す以下の手順により行われる。
【０００４】
すなわち、ホストが、パワーオン後、デバイスに対してＣＯＭＲＥＳＥＴ信号を送信する。そしてデバイスは、そのＣＯＭＲＥＳＥＴ信号を受信すると、デバイスに対してＣＯＭＩＮＩＴ信号を送信する。次に、ホストは、そのＣＯＭＩＮＩＴ信号を受信すると、デバイスに、ＣＯＭＷＡＫＥ信号を送信し、デバイスは、そのＣＯＭＷＡＫＥ信号を受信すると、ホストにＣＯＭＷＡＫＥ信号を送信する。
【０００５】
以上のように、かかるネゴシエーションは、ホスト又はデバイスが送信した各信号を他方が検出するという動作を繰り返すことにより行われる。このネゴシエーションが正常に行われたとき、データ転送が開始される。なお、これらのＣＯＭＲＥＳＥＴ信号、ＣＯＭＷＡＫＥ信号、及びＣＯＭＩＮＩＴ信号は、総称して、ＯＯＢ信号と呼ばれる。
【０００６】
これらのＯＯＢ信号は、シリアルＡＴＡ規格で定められたバースト信号が伝送される一定の長さの期間（バースト期間）と無信号期間（スペース期間）とを繰り返す信号であり、バースト期間及びスペース期間の長さ、並びにそれらの回数が規格により定められている。具体的に、ＣＯＭＲＥＳＥＴ信号及びＣＯＭＩＮＩＴ信号のバースト期間及びスペース期間は、それぞれ約１０６．７[ｎｓ]、及び約３２０[ｎｓ]であり、そのバースト期間の数は、６回であり、ＣＯＭＷＡＫＥ信号のバースト期間及びスペース期間は、それぞれ約１０６．７[ｎｓ]であり、そのバースト期間の数は、６回である。一般的に、シリアルＡＴＡ規格に準拠した受信装置では、バースト期間及びスペース期間をそれぞれ連続して３回以上検出すると、ＯＯＢ信号を検出したと認識する。
【０００７】
ところが、かかる受信装置では、ノイズをＯＯＢ信号と誤検出してしまうことがある。そこで、特許文献１では、出力に応じて閾値を変化させるスケルチ検出回路を用いてかかる誤検出を防止する方法が開示されている。
【先行技術文献】
【特許文献】
【０００８】
【特許文献１】特開２００６−２０３３３８号公報
【発明の概要】
【発明が解決しようとする課題】
【０００９】
しかしながら、かかる特許文献１に開示された方法によっても、ノイズをＯＯＢ信号として誤検出してしまうことが多く、信頼性の面で未だ不十分な問題があった。
【００１０】
本発明は、以上の点を考慮してなされたもので、信頼性の高い情報検出装置及び方法を提案しようとするものである。
【課題を解決するための手段】
【００１１】
かかる課題を解決するため本発明においては、バースト信号が伝送されるバースト期間と、無信号期間であるスペース期間とが伝送情報の内容に応じたパターンで繰り返される伝送信号から前記伝送情報を検出する情報検出装置において、前記伝送信号の信号振幅レベルの絶対値が第１の閾値以上であるか否かを検出する第１の比較回路と、前記伝送信号の信号振幅レベルの絶対値が第２の閾値以上であるか否かを検出する第２の比較回路と、前記第１及び第２の比較回路の検出結果に基づいて、前記伝送信号の振幅レベル変位がノイズによるものか、又は前記伝送情報を受信したことによるものかを判定する判定部とを設け、前記第１及び第２の閾値を異なる値に設定するようにした。
【００１２】
また、本発明においては、バースト信号が伝送されるバースト期間と、無信号期間であるスペース期間とが伝送情報の内容に応じたパターンで繰り返される伝送信号から前記伝送情報を検出する情報検出方法において、前記伝送信号の信号振幅レベルの絶対値が第１の閾値以上であるか否かを検出すると共に、前記伝送信号の信号振幅レベルの絶対値が第２の閾値以上であるか否かを検出する第１のステップと、検出結果に基づいて、前記伝送信号の振幅レベル変位がノイズによるものか、又は前記伝送情報を受信したことによるものかを判定する第２のステップとを設けるようにした。
【発明の効果】
【００１３】
本発明によれば、伝送情報を精度良く検出し得る信頼性の高い情報検出装置及び方法を実現できる。
【発明を実施するための形態】
【００１４】
以下、図面について本発明の一実施の形態を詳述する。
（１）第１の実施の形態
図１において、１は全体として第１の実施形態による受信装置を示す。この受信装置１は、シリアルＡＴＡ規格に準拠したホスト又はデバイスの物理層コントローラに搭載されるものであり、ハイパスフィルタ部３、ＯＯＢ信号検出部４、シリアルＡＴＡインタフェースコントロール部５及びデータ抽出部６を備えて構成される。
【００１５】
ハイパスフィルタ部３は、第１の入力端子２Ａに直列接続された第１のＡＣ結合コンデンサＣ１及び第１の終端抵抗Ｒ１から構成される第１のハイパスフィルタと、第２の入力端子に直列接続された第２のＡＣ結合コンデンサＣ２及び第２の終端抵抗Ｒ２から構成される第２のハイパスフィルタとを備える。そして第１の入力端子２Ａには、通信相手から差動伝送される伝送信号の正相側が与えられ、第２の入力端子２Ｂには、かかる伝送信号の逆相側が与えられる。また第１及び第２の終端抵抗Ｒ１，Ｒ２は、負極側が接地されたバイアス電源Ｅの正極側に共通接続されている。
【００１６】
かくしてハイパスフィルタ部３は、伝送信号の正相側の高周波成分を抽出し、抽出した高周波成分にバイアス電源Ｅの出力電圧に応じたバイアス電圧を重畳して、これを正相側高周波成分信号として第１のＡＣ結合コンデンサＣ１及び第１の終端抵抗Ｒ１の接続中点から出力する。またハイパスフィルタ部３は、伝送信号の逆相側の高周波成分を抽出し、抽出した高周波成分に上記バイアス電圧を重畳して、これを逆相側高周波成分信号として第２のＡＣ結合コンデンサＣ２及び第２の終端抵抗Ｒ２の接続中点を介して出力する。
【００１７】
ＯＯＢ信号検出部４は、スケルチ検出用差動アンプ１０と、第１及び第２のウインドコンパレータ１１Ａ，１１Ｂと、第１及び第２の波形整形回路１２Ａ，１２Ｂと、第１及び第２のＯＯＢ検出ブロック１３Ａ，１３Ｂと、アンドゲート回路１４とから構成される。
【００１８】
スケルチ検出用差動アンプ１０は、非反転入力端子がハイパスフィルタ部３の第１のＡＣ結合コンデンサＣ１及び第１の終端抵抗Ｒ１の接続中点と接続され、反転入力端子がハイパスフィルタ部３の第２のＡＣ結合コンデンサＣ２及び第２の終端抵抗Ｒ２の接続中点と接続されている。そしてスケルチ検出用差動アンプ１０は、ハイパスフィルタ部３から非反転入力端子に与えられる正相側高周波成分信号と、当該ハイパスフィルタ部３から反転入力端子に与えられる逆相側高周波成分信号との間の差電圧に応じた図２（Ａ）に示すような差分信号を生成し、生成した差分信号を第１及び第２のウインドコンパレータ１１Ａに送出する。
【００１９】
第１のウインドコンパレータ１１Ａは、スケルチ検出用差動アンプ１０から与えられる差分信号の信号レベルを第１及び第２の基準電圧（第１の基準電圧＞第２の基準電圧とする）と比較し、差分信号の信号レベルが第１の基準電圧よりも大きい期間又は第２の基準電圧よりも小さい期間はハイレベルに立ち上がり、差分信号の信号レベルが第１及び第２の基準電圧間にあるときにはローレベルに立ち下がる第１のウインドコンパレート信号を生成して、これを第１の波形整形回路１２Ａに送出する。なお、本実施の形態の場合、第１のウインドコンパレータ１１Ａを、かかる差分信号の信号レベルの絶対値が予め設定された第１の閾値以上であるか否かを検出するスケルチ検出回路として機能させるため、第１の基準電圧が「Ｄ１」、第２の基準電圧が「−Ｄ１」にそれぞれ設定されている。
【００２０】
第１の波形整形回路１２Ａは、第１のウインドコンパレータ１１Ａから与えられる第１のウインドコンパレート信号に対して、各バースト部分をそれぞれ１つのパルスにまとめる波形整形処理を施し、かくして得られた図２（Ｂ）に示すような第１の波形整形信号を第１のＯＯＢ検出回路１３Ａに送出する。
【００２１】
第１のＯＯＢ検出回路１３Ａは、第１の波形整形回路１２Ａから与えられる第１の波形整形信号を監視し、その第１の波形整形信号に含まれる各パルスのパルス幅（ＯＯＢ信号のバースト期間に相当）、連続するパルスの個数（ＯＯＢ信号のバースト期間の回数に相当）及びパルス間隔（ＯＯＢ信号のスペース期間に相当）をそれぞれ測定する。そして第１のＯＯＢ検出回路１３Ａは、かかる測定により得られたパルス幅及びパルス間隔の双方が、シリアルＡＴＡ規格において規定されたＣＯＭＲＥＳＥＴ信号、ＣＯＭＷＡＫＥ信号又はＣＯＭＩＮＩＴ信号のバースト期間及びスペース期間として定められた時間とそれぞれ合致する連続する３つ以上のパルスを検出すると、これに応じた第１のＯＯＢ検出信号をアンドゲート回路１４に送信する。
【００２２】
具体的に、第１のＯＯＢ検出部１３Ａは、パルス幅が約１０６．７[ｎｓ]、間隔が約３２０[ｎｓ]である連続する３つ以上のパルスを検出すると、ＣＯＭＲＥＳＥＴ信号又はＣＯＭＩＮＩＴ信号を受信したと判断し、これに応じた第１のＯＯＢ検出信号（例えば所定の第１のパルスパターンのパルス信号）をアンドゲート回路１４に送信する。また第１のＯＯＢ検出部１３Ａは、パルス幅が約１０６．７[ｎｓ]、間隔が約１６０．７[ｎｓ]である連続する３つ以上のパルスを検出すると、ＣＯＭＷＡＫＥ信号を受信したと判断し、これに応じた第１のＯＯＢ検出信号（例えば所定の第２のパルスパターンのパルス信号）をアンドゲート回路１４に送信する。
【００２３】
また第２のウインドコンパレータ１１Ｂは、スケルチ検出用差動アンプ１０から与えられる差分信号の信号レベルを、予め設定された第３及び第４の基準電圧（第３の基準電圧＞第４の基準電圧とする）と比較し、差分信号の信号レベルが第３の基準電圧よりも大きい期間又は第４の基準電圧よりも小さい期間はハイレベルに立ち上がり、差分信号の信号レベルが第３及び第４の基準電圧間にあるときにはローレベルに立ち下がる第２のウインドコンパレート信号を生成して、これを第２の波形整形回路１２Ｂに送出する。
【００２４】
なお本実施の形態の場合、第２のウインドコンパレータ１１Ｂについても、差分信号の信号レベルの絶対値が予め設定された第２の閾値以上であるか否かを検出するスケルチ検出回路として機能させるため、かかる第３の基準電圧が「Ｄ２」、第４の基準電圧が「−Ｄ２」に設定されている。また本実施の形態の場合、図２（Ａ）に示すように、かかる第３の基準電圧（「Ｄ２」）は、第１の基準電圧よりも小さい「Ｄ２」に設定されている。
【００２５】
第２の波形整形回路１２Ｂは、第２のウインドコンパレータ１１Ｂから与えられる第２のウインドコンパレート信号に対して第１の波形整形回路１２Ａと同様の波形整形処理を施し、かくして得られた第２の波形整形信号を第２のＯＯＢ検出回路１３Ｂに送出する。
【００２６】
第２のＯＯＢ検出回路１３Ｂは、第２の波形整形回路１２Ｂから与えられる第２の波形整形信号を監視し、第１のＯＯＢ検出回路１３Ａと同様にして、その第２の波形整形信号に含まれる各パルスのパルス幅及び間隔並びに連続するパルスの個数をそれぞれ測定する。そして第２のＯＯＢ検出回路１３Ｂは、かかる測定により得られたパルス幅及び間隔の双方が、シリアルＡＴＡ規格においてＣＯＭＲＥＳＥＴ信号、ＣＯＭＷＡＫＥ信号又はＣＯＭＩＮＩＴ信号のバースト期間及びスペース期間として定められた時間とそれぞれ合致する連続する３つ以上のパルスを検出すると、これに応じた第２のＯＯＢ検出信号をアンドゲート回路１４に送信する。
【００２７】
ＡＮＤゲート回路１４は、第１のＯＯＢ検出回路１３Ａから与えられる第１のＯＯＢ検出信号と、第２のＯＯＢ検出回路１３Ｂから与えられる第２のＯＯＢ検出信号とに基づいて、第１及び第２のＯＯＢ検出信号が共にハイレベルの期間のみハイレベルに立ち上がる論理和信号を生成し、これをシリアルＡＴＡインタフェースコントロール部５に送出する。
【００２８】
シリアルＡＴＡインタフェースコントロール部５は、ＡＮＤゲート回路１４から与えられる論理和信号に基づいて、ＣＯＭＲＥＳＥＴ信号、ＣＯＭＲＥＳＥＴ信号又はＣＯＭＩＮＩＴ信号の入力の有無を判断し、判断結果に基づき必要に応じて、図７について上述したＯＯＢシーケンスに関する所定処理を実行する。
【００２９】
一方、データ抽出部６は、データ抽出用差動アンプ２０及びデータ抽出ブロック２１から構成される。
【００３０】
データ抽出用差動アンプ２０は、非反転入力端子がハイパスフィルタ部３の第１のＡＣ結合コンデンサＣ１及び第１の終端抵抗Ｒ１の接続中点と接続され、反転入力端子がハイパスフィルタ部３の第２のＡＣ結合コンデンサＣ２及び第２の終端抵抗Ｒ２の接続中点と接続されている。かくしてデータ抽出用差動アンプ２０は、ハイパスフィルタ部３から非反転入力端子に与えられる正相側高周波成分信号と、当該ハイパスフィルタ回路部から反転入力端子に与えられる逆相側高周波成分信号との間の差電圧に応じた差分信号をデータ抽出ブロック２１に送出する。
【００３１】
またデータ抽出ブロック２１は、シリアルＡＴＡインタフェースコントロール部５の制御のもとに、通信相手側のデバイス又はホストとの間のＯＯＢシーケンスが終了した後に、データ抽出用差動アンプ２０から与えられる差分信号に含まれるデータを抽出する。
【００３２】
以上の構成において、かかる受信装置１の第１及び第２の入力端子２Ａ，２Ｂに正常なＯＯＢ信号が入力した場合、スケルチ検出用差動アンプ１０からは図２（Ａ）に示すような波形の差分信号が出力され、この差分信号に基づいて、第１の波形整形回路１２Ａからは図２（Ｂ）に示すような波形の第１の波形整形信号が出力され、第２の波形整形回路１２Ｂからも第１の波形整形信号とほぼ同じ波形の図２（Ｃ）に示すような第２の波形整形信号が出力される。
【００３３】
従って、この場合、第１及び第２のＯＯＢ検出回路１３Ａ，１３Ｂは、いずれも同じＯＯＢ信号（ＣＯＭＲＥＳＥＴ信号、ＣＯＭＩＮＩＴ信号又はＣＯＭＷＡＫＥ信号）を検出し、そのＯＯＢ信号に応じた同じパルスパターンの第１又は第２のＯＯＢ検出信号をＡＮＤゲート回路１４に送出することから、そのパルスパターンと同じパルスパターンの論理和信号がＡＮＤゲート回路５からシリアルＡＴＡインタフェースコントロール部５に出力される。
【００３４】
よって、この場合、シリアルＡＴＡインタフェースコントロール部５は、この論理和信号に基づいて、そのＯＯＢ信号に応じた動作を実行する。
【００３５】
これに対してかかる受信装置１の第１及び第２の入力端子に図３（Ａ）に示すようなノイズが入力した場合、第１の波形整形回路１２Ａからは図３（Ｂ）に示すような波形の第１の波形整形信号が出力され、第２の波形整形回路１２Ｂからは第１の波形整形信号と異なる波形の図３（Ｃ）に示すような第２の波形整形信号が出力される。
【００３６】
従って、この場合、第１及び第２の波形整形信号の波形が異なるために、第１及び第２のＯＯＢ検出回路１３Ａ，１３Ｂの双方が共に同じＯＯＢ信号を受信したと誤検出することはない。また第１及び第２のＯＯＢ検出回路１３Ａ１３Ｂのいずれか一方がＯＯＢ信号を受信したと誤検出した場合においても、誤検出していない第２又は第１のＯＯＢ検出回路１３Ｂ，１３ＡからはＣＯＭＲＥＳＥＴ信号、ＣＯＭＩＮＩＴ信号又はＣＯＭＷＡＫＥ信号と対応付けられたパルスパターンのＯＯＢ検出信号が出力されることはない。
【００３７】
よって、この場合には、ＡＮＤゲート回路１４からそのＯＯＢ信号と同じパルスパターンの論理和信号が出力されることはなく、論理和信号に基づいてシリアルＡＴＡインタフェースコントロール部５が誤動作することはない。
【００３８】
以上のように本実施の形態の受信装置１によれば、スケルチ検出用差動アンプ１０から出力される差分信号に対して第１及び第２のウインドコンパレータ１１Ａ，１１Ｂにおいてそれぞれ異なる閾値でのスケルチ検出を行い、その検出結果に基づいて伝送信号のレベル変位がノイズによるものか、又はＯＯＢ信号を受信したことによるものかを判定するようにしたことにより、ノイズをＯＯＢ信号と誤検出するのを高い精度で防止することができ、かくして信頼性の高い受信装置を実現できる。
【００３９】
（２）第２の実施の形態
図１との対応部分に同一符号を付して示す図４は、第２の実施の形態による受信装置３０を示す。この受信装置３０は、ＯＯＢ信号検出部３１の構成が異なる点を除いて第１の実施の形態による受信装置１（図１）と同様に構成されている。
【００４０】
すなわち本実施の形態の場合、ＯＯＢ信号検出部３１は、スケルチ検出用作動アンプ１０と、第１及び第２のウインドコンパレータ１１Ａ，１１Ｂと、波形整形回路３２Ａと、エッジタイミング比較判定回路３３と、ＯＯＢ検出ブロック３４とから構成される。
【００４１】
そしてＯＯＢ信号検出部３１においては、第１のウインドコンパレータ１１Ａから出力される第１のウインドコンパレータ信号が波形整形回路１１Ａ及びエッジタイミング比較判定回路３３に与えられ、第２のウインドコンパレータ１１Ｂから出力される第１のウインドコンパレータ信号がエッジタイミング比較判定回路３３に与えられる。
【００４２】
波形整形回路３２は、第１の実施の形態における第１及び第２の波形整形回路１２Ａ，１２Ｂ（図１）と同じ機能を有するものであり、第１のウインドコンパレータ１１Ａから与えられる第１のウインドコンパレート信号に対して、各バースト部分をそれぞれ１つのパルスにまとめる波形整形処理を施し、かくして得られた波形整形信号をＯＯＢ検出回路３４に送出する。
【００４３】
またエッジタイミング比較判定回路３３は、第１のウインドコンパレータ１１Ａから与えられる第１のウインドコンパレータ信号と、第２のウインドコンパレータ１１Ｂから与えられる第２のウインドコンパレータ信号とについて、これら第１及び第２のウインドコンパレータ信号がローレベルからハイレベルに変化するタイミング、つまり立ち上がりエッジのタイミングを比較する。
【００４４】
そしてエッジタイミング比較判定回路３３は、第２のウインドコンパレータ信号がハイレベルに立ち上がってから第１のウインドコンパレータ信号がハイレベルに立ち上がるまでの時間差が予め定められた所定の閾値（以下、これをエッジタイミング比較閾値と呼ぶ）よりも大きい場合にはローレベル、第２のウインドコンパレータ信号が立ち上がってから第１のウインドコンパレータ信号が立ち上がるまでの時間差がエッジタイミング比較閾値以下の場合にはハイレベルの比較判定信号をＯＯＢ検出ブロック３４に送信する。
【００４５】
ＯＯＢ検出回路３４は、波形整形回路３２から与えられる波形整形信号を監視し、第１の実施の形態における第１及び第２のＯＯＢ検出回路１３Ａ，１３Ｂ（図１）と同様の方法により、その波形整形信号に含まれる各パルスのパルス幅、連続するパルスの個数及びパルス間隔をそれぞれ測定する。そしてＯＯＢ検出回路３４は、かかる測定により得られたパルス幅及びパルス間隔の両方が、シリアルＡＴＡ規格において規定されたＣＯＭＲＥＳＥＴ信号、ＣＯＭＷＡＫＥ信号又はＣＯＭＩＮＩＴ信号のバースト期間及びスペース期間として定められた時間とそれぞれ合致する連続する３つ以上のパルスを検出し、かつ、このときエッジタイミング比較判定回路３３から与えられる比較判定信号がハイレベルであったときにのみ、そのとき検出したＯＯＢ信号に応じたＯＯＢ検出信号をシリアルＡＴＡインタフェースコントロール部５に送信する。
【００４６】
またシリアルＡＴＡインタフェースコントロール部５は、ＯＯＢ検出回路３４から与えられるＯＯＢ信号に基づいて、ＣＯＭＲＥＳＥＴ信号、ＣＯＭＲＥＳＥＴ信号又はＣＯＭＩＮＩＴ信号の入力の有無を判断し、判断結果に基づき必要に応じて、図７について上述したＯＯＢシーケンスに関する所定処理を実行する。
【００４７】
以上の構成において、かかる受信装置３０の第１及び第２の入力端子２Ａ，２Ｂに正常なＯＯＢ信号が入力した場合、スケルチ検出用差動アンプ１０からは図５（Ａ）に示すような波形の差分信号が出力される。この場合において、ＯＯＢ信号におけるバースト部位は立ち上がりが俊敏であるため、これに対応する差分信号の対応する部分のパルス波形も図５（Ｂ）に示すように立ち上がりが俊敏となり、図５（Ｃ）及び（Ｄ）に示すように、第１のウインドコンパレータ１１Ａから出力される第１のウインドコンパレータ信号（図５（Ｃ））の立ち上がりのタイミングと、第２のウインドコンパレータ１１Ｂから出力される第２のウインドコンパレータ信号（図５（Ｄ））の立ち上がりのタイミングとの間の時間差ｔ１は極僅かなものとなる。
【００４８】
これに対して受信装置３０の第１及び第２の入力端子２Ａ，２Ｂにノイズが入力した場合、スケルチ検出用差動アンプ１０から出力される差分信号は、図６（Ａ）に示すようにランダム波形となる。この場合において、図６（Ｂ）に示すように、ノイズの立ち上がりはＯＯＢ信号におけるバースト部位に比べて立ち上がりが緩やかであり、その分第２のウインドコンパレータ信号の立ち上がりのタイミングと、第１のウインドコンパレータ信号の立ち上がりのタイミングとの間の時間差ｔ２は大きくなる。
【００４９】
そこで本実施の形態においては、正常なＯＯＢ信号が入力した場合における第１のウインドコンパレータ信号の立ち上がりのタイミングと、第２のウインドコンパレータ１１Ｂから出力される第２のウインドコンパレータ信号の立ち上がりのタイミングとの間の時間差ｔ１よりも僅かに大きな値にかかるエッジタイミング比較閾値が設定されている。
【００５０】
これにより本実施の形態による受信装置３０では、ＯＯＢ信号が入力した場合には、エッジタイミング比較判定回路３３から出力される比較判定信号の信号レベルがハイレベルとなるため、ＯＯＢ検出回路３４からシリアルＡＴＡインタフェースコントロール部５に対してＯＯＢ検出信号が送信されるのに対して、ノイズが入力した場合には、エッジタイミング比較判定回路３３から出力される比較判定信号の信号レベルがローレベルとなるため、ＯＯＢ検出回路３４からシリアルＡＴＡインタフェースコントロール部５に対してＯＯＢ検出信号が送信されない。よって、ノイズが入力した場合にも、シリアルＡＴＡインタフェースコントロール部５が誤動作することはない。
【００５１】
以上のように本実施の形態の受信装置３０によれば、第１のウインドコンパレータ１１Ａから出力される第１のウインドコンパレート信号の立ち上がりエッジと、第２のウインドコンパレータ１１Ｂから出力される第２のウインドコンパレート信号の立ち上がりエッジとの時間差に基づいて、入力信号がノイズであるか又はＯＯＢ信号であるかを判定するようにしたことにより、ノイズをＯＯＢ信号と誤検出するのを高い精度で防止することができ、かくして信頼性の高い受信装置を実現できる。
【００５２】
（３）他の実施の形態
なお上述の第１及び第２の実施の形態においては、本発明を、ＯＯＢ信号を検出する受信装置に適用するようにした場合について述べたが、本発明はこれに限らず、要は、バースト信号が伝送されるバースト期間と、無信号期間であるスペース期間とが伝送情報の内容に応じたパターンで繰り返される伝送信号から伝送情報を検出する、この他種々の情報検出装置に広く適用することができる。
【００５３】
また上述の第１及び第２の実施の形態においては、伝送信号の信号レベルの絶対値が第１の閾値以上であるか否かを検出する第１の比較回路と、伝送信号の信号レベルの絶対値が第１の閾値と異なる第２の閾値以上であるか否かを検出する第２の比較回路とをそれぞれ第１及び第２のウインドコンパレータ１１Ａ，１１Ｂにより構成するようにした場合について述べたが、本発明はこれに限らず、かかる第１及び第２の比較回路としてはこの他種々の構成を広く適用することができる。
【００５４】
さらに上述の第１の実施の形態においては、第１及び第２のウインドコンパレータ１１Ａ，１１Ｂの出力に基づいて、伝送信号のレベル変位がノイズによるものか、又はＯＯＢ信号を受信したことによるものかを判定する判定部を、第１及び第２の波形整形部１２Ａ，１２Ｂと、第１及び第２のＯＯＢ検出回路１３Ａ，１３Ｂと、ＡＮＤゲート回路１４とにより構成し、第２の実施の形態においては、かかる判定部を、波形整形回路３２、エッジタイミング比較判定回路３３、ＯＯＢ検出回路３４により構成するようにした場合について述べたが、本発明はこれに限らず、かかる判定部の構成としては、この他種々の構成を広く適用することができる。
【産業上の利用可能性】
【００５５】
本発明は、ＯＯＢ信号を検出する受信装置のほか、バースト信号が伝送されるバースト期間と、無信号期間であるスペース期間とが伝送情報の内容に応じたパターンで繰り返される伝送信号から伝送情報を検出する、この他種々の情報検出装置に広く適用することができる。
【図面の簡単な説明】
【００５６】
【図１】第１の実施の形態による受信装置の全体構成を示すブロック図である。
【図２】図１の受信装置が正常なＯＯＢ信号を受信した場合における差分信号並びに第１及び第２のウインドコンパレータ信号の波形を示す波形図である。
【図３】図１の受信装置がノイズを受信した場合における差分信号並びに第１及び第２のウインドコンパレータ信号の波形を示す波形図である。
【図４】第２の実施の形態による受信装置の全体構成を示すブロック図である。
【図５】図１の受信装置が正常なＯＯＢ信号を受信した場合における差分信号並びに第１及び第２のウインドコンパレータ信号の波形を示す波形図である。
【図６】図１の受信装置がノイズを受信した場合における差分信号並びに第１及び第２のウインドコンパレータ信号の波形を示す波形図である。
【図７】ＯＯＢシーケンシャルの説明に供する波形図である。
【符号の説明】
【００５７】
１，３０……受信装置、２Ａ，２Ｂ……入力端子、３……ハイパスフィルタ部、４，３１……ＯＯＢ信号検出部、５……シリアルＡＴＡコントロール部、６……データ抽出部、１０……スケルチ検出用差動アンプ、１１Ａ，１１Ｂ……ウインドコンパレータ、１２Ａ，１２Ｂ，３２……波形整形回路、１３Ａ，１３Ｂ，３４……ＯＯＢ検出回路、１４……ＡＮＤゲート、２０……データ抽出用差動アンプ、２１……データ抽出ブロック、３３……エッジタイミング比較判定回路、Ｃ１，Ｃ２……ＡＣ結合コンデンサ、Ｒ１，Ｒ２……終端抵抗、Ｅ……バイアス電源。
【図１】
2011010053.tif 000003
【図２】
2011010053.tif 000004
【図３】
2011010053.tif 000005
【図４】
2011010053.tif 000006
【図５】
2011010053.tif 000007
【図６】
2011010053.tif 000008
【図７】
2011010053.tif 000009